(57)【要約】【課題】コンテンツ制御端末（ＤＭＣ：Digital Media Controller）及びコンテンツ再生端末（ＤＭＰ：Digital Media Player）がインターネットに接続されている場合であっても、ＤＭＣの制御によって、ホームネットワークに接続されたコンテンツ提供端末（ＤＭＳ：Digital Media Server）から、インターネットに接続されたＤＭＰへコンテンツを送信することができるコンテンツ転送方法及びシステムを提供する。【解決手段】ＤＭＣが、ホームゲートウェイを接続先とする第１の呼接続要求を、ＤＭＰへ送信する。次に、ＤＭＣが、ＤＭＰを接続先とする第２の呼接続要求を、ホームゲートウェイへ送信する。そして、ＤＭＰが、確立されたセッションを通して、ホームゲートウェイを介してＤＭＳとの間で、ＤＬＮＡ(Digital Living Network Alliance)に基づく制御メッセージを送受信し、ＤＭＳからホームゲートウェイを介して当該コンテンツを受信する。【選択図】図２
2010152576.tif 000002
【特許請求の範囲】
【請求項１】
ホームネットワークプロトコル対応のコンテンツ提供端末が、ホームネットワークを介してホームゲートウェイに接続されており、該ホームゲートウェイと、前記ホームネットワークプロトコル対応のコンテンツ制御端末及びコンテンツ再生端末とが、広域ネットワークを介して接続されたシステムにおけるコンテンツ転送方法であって、
前記コンテンツ制御端末が、前記ホームゲートウェイを接続先とする第１の呼接続要求を、前記コンテンツ再生端末へ送信する第１のステップと、
前記コンテンツ制御端末が、前記コンテンツ再生端末を接続先とする第２の呼接続要求を、前記ホームゲートウェイへ送信する第２のステップと、
前記コンテンツ再生端末が、確立されたセッションを通して、前記ホームゲートウェイを介して前記コンテンツ提供端末との間で、前記ホームネットワークプロトコルに基づく制御メッセージを送受信し、前記コンテンツ提供端末から前記ホームゲートウェイを介して当該コンテンツを受信する第３のステップと
を有することを特徴とするコンテンツ転送方法。
【請求項２】
前記呼接続要求は、ＳＩＰ(Simple Initiation Protocol)のINVITEメッセージであって、前記ホームゲートウェイ又は前記コンテンツ再生端末が接続先として指定するサードパーティコントロールプロトコル（３ＰＣＣ：3rd Party Call Control）に基づくものであることを特徴とする請求項１に記載のコンテンツ転送方法。
【請求項３】
前記ホームネットワークプロトコルは、ＤＬＮＡ(Digital Living Network Alliance)準拠プロトコルであり、
前記コンテンツ提供端末は、ＤＬＮＡ対応のＤＭＳ(Digital Media Server)又はＭ−ＤＭＳ(Mobile-DMS)として機能し、
前記コンテンツ制御端末は、ＤＬＮＡ対応のＤＭＣ(Digital Media Controller)又はＭ−ＤＭＣ(Mobile-DMC)として機能し、
前記コンテンツ再生端末は、ＤＬＮＡ対応のＤＭＰ(Digital Media Player)又はＭ−ＤＭＰ(Mobile-DMP)として機能し、
前記コンテンツ再生端末は、前記コンテンツ提供端末に対して、ＨＴＴＰ(HyperText Transfer Protocol)クライアントとして機能する
ことを特徴とする請求項１又は２に記載のコンテンツ転送方法。
【請求項４】
第１のステップの前段で、
前記コンテンツ制御端末が、当該コンテンツ制御端末を接続先とする呼接続要求を、前記ホームゲートウェイへ送信するステップと、
前記コンテンツ制御端末が、確立されたセッションを通して、前記ホームゲートウェイを介して前記コンテンツ提供端末との間で、前記制御メッセージを送受信し、コンテンツを発見し且つ検索するステップと
を更に有することを特徴とする請求項１から３のいずれか１項に記載のコンテンツ転送方法。
【請求項５】
前記コンテンツ再生端末が、コンテンツ再生専用端末である場合、
第３のステップについて、前記コンテンツ制御端末が、再生すべきコンテンツを指定した再生紹介メッセージを、前記コンテンツ再生端末へ送信するステップを更に有することを特徴とする請求項１から４のいずれか１項に記載のコンテンツ転送方法。
【請求項６】
前記コンテンツ再生専用端末は、ＤＬＮＡ対応のＤＭＲ(Digital Media Renderer)又はＭ−ＤＭＲ(Mobile-DMR)として機能することを特徴とする請求項５に記載のコンテンツ転送方法。
【請求項７】
ホームネットワークプロトコル対応のコンテンツ提供端末が、ホームネットワークを介してホームゲートウェイに接続されており、該ホームゲートウェイと、前記ホームネットワークプロトコル対応のコンテンツ制御端末及びコンテンツ再生端末とが、広域ネットワークを介して接続されたコンテンツ転送システムであって、
前記コンテンツ制御端末は、前記ホームゲートウェイを接続先とする第１の呼接続要求を、前記コンテンツ再生端末へ送信する第１の呼接続手段と、前記コンテンツ再生端末を接続先とする第２の呼接続要求を、前記ホームゲートウェイへ送信する第２の呼接続手段とを有し、
前記コンテンツ再生端末は、第１の呼接続要求を受信した際に、前記ホームゲートウェイとの間でセッションを確立する呼接続確立手段と、確立されたセッションを通して、前記ホームゲートウェイを介して前記コンテンツ提供端末との間で、前記ホームネットワークプロトコルに基づく制御メッセージを送受信し、前記コンテンツ提供端末から前記ホームゲートウェイを介して当該コンテンツを受信するメディア再生制御手段とを有し、
前記ホームゲートウェイは、第２の呼接続要求を受信した際に、前記コンテンツ再生端末との間でセッションを確立する呼接続確立手段と、前記セッションを介して前記コンテンツ再生端末と、前記コンテンツ提供端末との間で、前記制御メッセージ及び当該コンテンツを転送するデータ転送手段と
を有することを特徴とするコンテンツ転送システム。
【請求項８】
前記呼接続要求は、ＳＩＰのINVITEメッセージであって、前記ホームゲートウェイ又は前記コンテンツ再生端末が接続先として指定するサードパーティコントロールプロトコル（３ＰＣＣ）に基づくものであることを特徴とする請求項７に記載のコンテンツ転送システム。
【請求項９】
前記ホームネットワークプロトコルは、ＤＬＮＡ準拠プロトコルであり、
前記コンテンツ提供端末は、ＤＬＮＡ対応のＤＭＳ又はＭ−ＤＭＳとして機能し、
前記コンテンツ制御端末は、ＤＬＮＡ対応のＤＭＣ又はＭ−ＤＭＣとして機能し、
前記コンテンツ再生端末は、ＤＬＮＡ対応のＤＭＰ又はＭ−ＤＭＰとして機能し、
前記コンテンツ再生端末のメディア再生制御手段は、前記コンテンツ提供端末に対して、ＨＴＴＰクライアントとして機能する
ことを特徴とする請求項８又は９に記載のコンテンツ転送システム。
【請求項１０】
前記コンテンツ制御端末は、当該コンテンツ制御端末を接続先とする呼接続要求を、前記ホームゲートウェイへ送信する第３の呼接続手段と、確立されたセッションを通して、前記ホームゲートウェイを介して前記コンテンツ提供端末との間で、前記制御メッセージを送受信し、コンテンツを発見し且つ検索するメディア制御手段と
を更に有することを特徴とする請求項７から９のいずれか１項に記載のコンテンツ転送システム。
【請求項１１】
前記コンテンツ再生端末が、コンテンツ再生専用端末である場合、
前記コンテンツ制御端末は、再生すべきコンテンツを指定した再生紹介メッセージを、前記コンテンツ再生端末へ送信する再生紹介メッセージ送信手段を更に有することを特徴とする請求項７から１０のいずれか１項に記載のコンテンツ転送システム。
【請求項１２】
前記コンテンツ再生専用端末は、ＤＬＮＡ対応のＤＭＲ(Digital Media Renderer)又はＭ−ＤＭＲ(Mobile-DMR)として機能することを特徴とする請求項１１に記載のコンテンツ転送システム。
【発明の詳細な説明】
【技術分野】
【０００１】
本発明は、ホームネットワーク内の端末から広域ネットワークへコンテンツを送信するコンテンツ転送方法及びシステムに関する。
【背景技術】
【０００２】
一般家庭内で、複数の家電機器をＬＡＮ(Local Area Network)に接続したホームネットワークシステムが普及してきている。異なる家電機器を相互接続することによって、他の機器からの遠隔制御や動作状態監視が実現できる。
【０００３】
ホームネットワークで用いられるプロトコルを規定する業界標準化団体として、ＤＬＮＡ(Digital Living Network Alliance)がある。ＤＬＮＡ準拠のプロトコルは、マルチベンダ環境におけるホームネットワークを実現し、異なる家電機器の相互接続性を実現する。これによって、一方の家電機器に蓄積されたデジタルコンテンツを、他方の家電機器から利用することができる。
【０００４】
ＤＬＮＡのプロトコルスタックによれば、ホームネットワークにおける物理層として、イーサネット（登録商標）又は無線ＬＡＮ(IEEE802.11)が適用され、ネットワーク層として、ＴＣＰ／ＩＰ(Transmission Control Protocol / Internet Protocol)が適用される。トランスポート層として、コンテンツ伝送機能にはＨＴＴＰ(HyperText Transfer Protocol)が適用され、コンテンツ選択機能にはＳＯＡＰ(Simple Object Access Protocol：簡易オブジェクトアクセスプロトコル)が適用され、アドレス設定・機器発見機能にはＳＳＤＰ(Simple Service Discovery Protocol：簡易サービス検出プロトコル)が適用される。
【０００５】
図１は、従来技術におけるＤＬＮＡの基本シーケンス図である。
【０００６】
図１によれば、ホームネットワーク５に、ＤＬＮＡに対応したＤＭＳ(Digital Media Server)（又はＭ−ＤＭＳ(Mobile-DMS)）としてのコンテンツ提供端末２と、ＤＭＰ(Digital Media Player)（又はＭ−ＤＭＰ(Mobile-DMP)）としてのコンテンツ再生端末３とが接続されている。視聴者は、コンテンツ再生端末３を操作可能であって、所望のコンテンツが、コンテンツ提供端末２に蓄積されている。
【０００７】
（Ｓ１１）コンテンツ再生端末３が、発見要求DISCOVERY(SSDP)を、コンテンツ提供端末２へ送信する。これに対し、コンテンツ提供端末２は、発見応答Response(SSDP)を、コンテンツ再生端末３へ返信する。
【０００８】
（Ｓ１２）視聴者の操作に応じて、コンテンツ再生端末３が、検索要求BROWSE(HTTP)を、コンテンツ提供端末２へ送信する。これに対し、コンテンツ提供端末２は、コンテンツリストを、コンテンツ再生端末３へ返信する。コンテンツリストは、コンテンツ再生端末３に表示され、視聴者によってコンテンツが選択される。
【０００９】
（Ｓ１３）その後、視聴者の操作に応じて、コンテンツ再生端末３は、コンテンツ取得要求(HTTP GET)を、コンテンツ提供端末２へ送信する。これに対し、コンテンツ提供端末２は、コンテンツ再生端末３へコンテンツを送信する。これによって、視聴者は、所望のコンテンツを視聴することができる。
【００１０】
前述したように、ＤＬＮＡは、ホームネットワーク内で、異なる家電機器の間での相互接続性を実現する。これに対し、ホームネットワーク内のコンテンツ再生装置が、ホームゲートウェイを介して、ホームネットワーク外の外部サーバからコンテンツを受信する技術がある（例えば特許文献１参照）。また、ホームネットワーク内の電話機及びサービス処理装置を用いて、ホームネットワーク内に接続された装置と、ホームネットワーク外に接続された装置とを、ホームゲートウェイを介して接続する技術もある（例えば特許文献２参照）。
【００１１】
【特許文献１】特開２００７−２７２８６８号公報
【特許文献２】特開２００８−０８５６６７号公報
【発明の開示】
【発明が解決しようとする課題】
【００１２】
前述した従来技術によれば、コンテンツ再生端末は、コンテンツ提供端末からコンテンツを受信するための制御機能を有する。この制御機能は、例えば、ＤＬＮＡにおけるコンテンツ制御端末としてのＤＭＣ(Digital Media Controller)（又はＭ−ＤＭＣ(Mobile-DMC)）である。ＤＬＮＡによれば、コンテンツ制御端末も、ホームネットワーク内に接続されていることを前提としている。コンテンツ制御端末は、コンテンツ再生端末に対して、コンテンツ提供端末から、指定されたコンテンツを受信するべく制御メッセージを送信する。
【００１３】
ここで、具体的な運用形態を想定する。例えば、ホームネットワークに接続されたＨＤＤ(HardDisk)レコーダのようなコンテンツ提供端末に、写真及び動画像のようなメディアデータが蓄積されているとする。そのメディアデータの所有者は、コンテンツ制御端末を所持して、外出しているとする。また、その所有者と関係のある他の視聴者は、ホームネットワークプロトコルに対応したコンテンツ再生端末を所持しているとする。そのメディアデータの所有者は、他の視聴者に対して、コンテンツ提供端末に蓄積されたメディアデータを視聴させたいとする。
【００１４】
このような場合、コンテンツ制御端末は、ホームネットワークに接続されていないために、コンテンツ再生端末を制御することができない。即ち、コンテンツ制御端末が広域ネットワークに接続されている場合、コンテンツ再生端末を制御することができない。
【００１５】
そこで、本発明は、コンテンツ制御端末及びコンテンツ再生端末が広域ネットワークに接続されている場合であっても、コンテンツ制御端末の制御によって、ホームネットワークに接続されたコンテンツ提供端末から、広域ネットワークに接続されたコンテンツ再生端末へコンテンツを送信することができるコンテンツ転送方法及びシステムを提供することを目的とする。
【課題を解決するための手段】
【００１６】
本発明によれば、ホームネットワークプロトコル対応のコンテンツ提供端末が、ホームネットワークを介してホームゲートウェイに接続されており、該ホームゲートウェイと、ホームネットワークプロトコル対応のコンテンツ制御端末及びコンテンツ再生端末とが、広域ネットワークを介して接続されたシステムにおけるコンテンツ転送方法であって、
コンテンツ制御端末が、ホームゲートウェイを接続先とする第１の呼接続要求を、コンテンツ再生端末へ送信する第１のステップと、
コンテンツ制御端末が、コンテンツ再生端末を接続先とする第２の呼接続要求を、ホームゲートウェイへ送信する第２のステップと、
コンテンツ再生端末が、確立されたセッションを通して、ホームゲートウェイを介してコンテンツ提供端末との間で、ホームネットワークプロトコルに基づく制御メッセージを送受信し、コンテンツ提供端末からホームゲートウェイを介して当該コンテンツを受信する第３のステップと
を有することを特徴とする。
【００１７】
本発明のコンテンツ転送方法における他の実施形態によれば、呼接続要求は、ＳＩＰ(Simple Initiation Protocol)のINVITEメッセージであって、ホームゲートウェイ又はコンテンツ再生端末が接続先として指定するサードパーティコントロールプロトコル（３ＰＣＣ：3rd Party Call Control）に基づくものであることも好ましい。
【００１８】
本発明のコンテンツ転送方法における他の実施形態によれば、
ホームネットワークプロトコルは、ＤＬＮＡ(Digital Living Network Alliance)準拠プロトコルであり、
コンテンツ提供端末は、ＤＬＮＡ対応のＤＭＳ(Digital Media Server)又はＭ−ＤＭＳ(Mobile-DMS)として機能し、
コンテンツ制御端末は、ＤＬＮＡ対応のＤＭＣ(Digital Media Controller)又はＭ−ＤＭＣ(Mobile-DMC)として機能し、
コンテンツ再生端末は、ＤＬＮＡ対応のＤＭＰ(Digital Media Player)又はＭ−ＤＭＰ(Mobile-DMP)として機能し、
コンテンツ再生端末は、コンテンツ提供端末に対して、ＨＴＴＰ(HyperText Transfer
Protocol)クライアントとして機能することも好ましい。
【００１９】
本発明のコンテンツ転送方法における他の実施形態によれば、第１のステップの前段で、
コンテンツ制御端末が、当該コンテンツ制御端末を接続先とする呼接続要求を、ホームゲートウェイへ送信するステップと、
コンテンツ制御端末が、確立されたセッションを通して、ホームゲートウェイを介してコンテンツ提供端末との間で、制御メッセージを送受信し、コンテンツを発見し且つ検索するステップと
を更に有することも好ましい。
【００２０】
本発明のコンテンツ転送方法における他の実施形態によれば、コンテンツ再生端末が、コンテンツ再生専用端末である場合、第３のステップについて、コンテンツ制御端末が、再生すべきコンテンツを指定した再生紹介メッセージを、コンテンツ再生端末へ送信するステップを更に有することも好ましい。
【００２１】
本発明のコンテンツ転送方法における他の実施形態によれば、コンテンツ再生専用端末は、ＤＬＮＡ対応のＤＭＲ(Digital Media Renderer)又はＭ−ＤＭＲ(Mobile-DMR)として機能することも好ましい。
【００２２】
本発明によれば、ホームネットワークプロトコル対応のコンテンツ提供端末が、ホームネットワークを介してホームゲートウェイに接続されており、該ホームゲートウェイと、ホームネットワークプロトコル対応のコンテンツ制御端末及びコンテンツ再生端末とが、広域ネットワークを介して接続されたコンテンツ転送システムであって、
コンテンツ制御端末は、ホームゲートウェイを接続先とする第１の呼接続要求を、コンテンツ再生端末へ送信する第１の呼接続手段と、コンテンツ再生端末を接続先とする第２の呼接続要求を、ホームゲートウェイへ送信する第２の呼接続手段とを有し、
コンテンツ再生端末は、第１の呼接続要求を受信した際に、ホームゲートウェイとの間でセッションを確立する呼接続確立手段と、確立されたセッションを通して、ホームゲートウェイを介してコンテンツ提供端末との間で、ホームネットワークプロトコルに基づく制御メッセージを送受信し、コンテンツ提供端末からホームゲートウェイを介して当該コンテンツを受信するメディア再生制御手段とを有し、
ホームゲートウェイは、第２の呼接続要求を受信した際に、コンテンツ再生端末との間でセッションを確立する呼接続確立手段と、セッションを介してコンテンツ再生端末と、コンテンツ提供端末との間で、制御メッセージ及び当該コンテンツを転送するデータ転送手段と
を有することを特徴とする。
【００２３】
本発明のコンテンツ転送システムにおける他の実施形態によれば、呼接続要求は、ＳＩＰのINVITEメッセージであって、ホームゲートウェイ又はコンテンツ再生端末が接続先として指定するサードパーティコントロールプロトコル（３ＰＣＣ）に基づくものであることも好ましい。
【００２４】
本発明のコンテンツ転送システムにおける他の実施形態によれば、
ホームネットワークプロトコルは、ＤＬＮＡ準拠プロトコルであり、
コンテンツ提供端末は、ＤＬＮＡ対応のＤＭＳ又はＭ−ＤＭＳとして機能し、
コンテンツ制御端末は、ＤＬＮＡ対応のＤＭＣ又はＭ−ＤＭＣとして機能し、
コンテンツ再生端末は、ＤＬＮＡ対応のＤＭＰ又はＭ−ＤＭＰとして機能し、
コンテンツ再生端末のメディア再生制御手段は、コンテンツ提供端末に対して、ＨＴＴＰクライアントとして機能することも好ましい。
【００２５】
本発明のコンテンツ転送システムにおける他の実施形態によれば、コンテンツ制御端末は、当該コンテンツ制御端末を接続先とする呼接続要求を、ホームゲートウェイへ送信する第３の呼接続手段と、確立されたセッションを通して、ホームゲートウェイを介してコンテンツ提供端末との間で、制御メッセージを送受信し、コンテンツを発見し且つ検索するメディア制御手段とを更に有することも好ましい。
【００２６】
本発明のコンテンツ転送システムにおける他の実施形態によれば、コンテンツ再生端末が、コンテンツ再生専用端末である場合、コンテンツ制御端末は、再生すべきコンテンツを指定した再生紹介メッセージを、コンテンツ再生端末へ送信する再生紹介メッセージ送信手段を更に有することも好ましい。
【００２７】
本発明のコンテンツ転送システムにおける他の実施形態によれば、コンテンツ再生専用端末は、ＤＬＮＡ対応のＤＭＲ(Digital Media Renderer)又はＭ−ＤＭＲ(Mobile-DMR)として機能することも好ましい。
【発明の効果】
【００２８】
本発明のコンテンツ転送方法及びシステムによれば、コンテンツ制御端末及びコンテンツ再生端末が広域ネットワークに接続されている場合であっても、コンテンツ制御端末の制御によって、ホームネットワークに接続されたコンテンツ提供端末から、広域ネットワークに接続されたコンテンツ再生端末へコンテンツを送信することができる。
【発明を実施するための最良の形態】
【００２９】
以下では、図面を用いて、本発明を実施するための最良の形態について詳細に説明する。
【００３０】
図２は、本発明における第１のシーケンス図である。
【００３１】
図２によれば、ホームネットワークプロトコル対応のコンテンツ提供端末２が、ホームネットワーク５に接続されている。また、ホームネットワーク５とインターネット（広域ネットワーク）６との間に、ホームゲートウェイ４が接続されている。更に、インターネット６には、ホームネットワークプロトコル対応のコンテンツ制御端末１と、コンテンツ再生端末３とが接続されている。
【００３２】
ホームネットワークプロトコルは、例えばＤＬＮＡ準拠プロトコルである。コンテンツ提供端末２は、ＤＬＮＡ対応のＤＭＳ又はＭ−ＤＭＳとして機能し、例えばハードディスクレコーダである。また、コンテンツ制御端末１は、ＤＬＮＡ対応のＤＭＣ又はＭ−ＤＭＣとして機能し、例えば携帯電話機である。更に、コンテンツ再生端末は、ＤＬＮＡ対応のＤＭＰ又はＭ−ＤＭＰとして機能し、例えばデジタルテレビである。
【００３３】
図２の場合、具体的には、ユーザが、宅外で携帯電話機（ＤＭＣ）を用いて、自宅内のハードディスクレコーダ（ＤＭＲ）に蓄積されたコンテンツを、例えば友人のような他人が所持するデジタルテレビ（ＤＭＰ）で再生する場合である。
【００３４】
（Ｓ２０１）最初に、コンテンツ制御端末１は、当該コンテンツ制御端末を接続先とする呼接続要求を、ホームゲートウェイ４へ送信する。呼接続要求は、例えばＳＩＰのINVITEメッセージである。INVITEメッセージに対して、200OK及びACKの交換によって、セッションが確立する。
【００３５】
（Ｓ２０２）コンテンツ制御端末１は、確立したセッションを通してホームゲートウェイ４へ、発見要求DISCOVERY(HTTP)を送信する。ホームゲートウェイ４は、その発見要求DISCOVERY(SSDP)を、コンテンツ提供端末２へ送信する。発見要求DISCOVERY(SSDP)を受信したコンテンツ提供端末２は、発見応答Response(SSDP)を、ホームゲートウェイ４へ返信する。ホームゲートウェイ４は、その発見応答Response(HTTP)を、コンテンツ制御端末へ送信する。
【００３６】
（Ｓ２０３）また、コンテンツ制御端末１は、検索要求BROWSE(HTTP)を、ホームゲートウェイ４へ送信し、ホームゲートウェイ４は、その検索要求BROWSE(SSDP)を、コンテンツ提供端末２へ送信する。これに対し、コンテンツ提供端末２は、コンテンツリスト(SSDP)を、ホームゲートウェイ４へ送信し、ホームゲートウェイ４は、そのコンテンツリスト(HTTP)を、コンテンツ制御端末１へ送信する。尚、Ｓ２０３を実行することなく、次のＳ２０４を実行するものであってもよい。コンテンツ提供端末２は、コンテンツ制御端末によって既に発見されているからである。
【００３７】
（Ｓ２０４）次に、コンテンツ制御端末１は、ホームゲートウェイ４を接続先とする第１の呼接続要求を、コンテンツ再生端末３へ送信する。第１の呼接続要求も、ＳＩＰのINVITEメッセージである。但し、第１の呼接続要求は、Ｓ２０１の呼接続要求と異なって、ホームゲートウェイ又はコンテンツ再生端末が接続先として指定するサードパーティコントロールプロトコル（３ＰＣＣ）に基づくものである。また、第１の呼接続要求のINVITEメッセージには、ＳＤＰ記述文書が記述されない(no
SDP)。
【００３８】
このINVITEメッセージ(no SDP)を受信したコンテンツ再生端末３は、ＳＤＰ記述文書であるOfferを含む200OKを、コンテンツ制御端末１へ返信する。これに対し、コンテンツ制御端末１は、ACKを、コンテンツ再生端末３へ返信する。
【００３９】
（Ｓ２０５）また、コンテンツ制御端末１は、コンテンツ再生端末３を接続先とする第２の呼接続要求を、ホームゲートウェイ４へ送信する。コンテンツ制御端末１は、第２の呼接続要求のINVITEメッセージに、コンテンツ再生端末３から先に受信したOfferを含める。このINVITEメッセージを受信したホームゲートウェイ４は、ＳＤＰ記述文書であるAnswerを含む200OKを、コンテンツ制御端末１へ返信する。これに対し、コンテンツ制御端末１は、ACKを、コンテンツ再生端末３へ返信する。
【００４０】
（Ｓ２０６）その後、コンテンツ制御端末１は、ホームゲートウェイ４から受信したAnswerを含むACKを、コンテンツ再生端末３へ送信する。
【００４１】
（Ｓ２０７）これによって、呼接続は、コンテンツ制御端末１によって制御されるものの、セッションは、そのＳＤＰ記述文書を用いて、コンテンツ再生端末３とホームゲートウェイ４との間で確立される。また、コンテンツ再生端末３は、コンテンツ提供端末２に対して、ＨＴＴＰクライアントとして機能する。
【００４２】
（Ｓ２０８）コンテンツ再生端末３は、確立されたセッションを通して、ホームゲートウェイ４を介してコンテンツ提供端末２との間で、ホームネットワークプロトコルに基づく制御メッセージを送受信することできる。最初に、コンテンツ再生端末３は、検索要求BROWSE(HTTP)を、ホームゲートウェイ４を介してコンテンツ提供端末２へ送信する。これに対し、コンテンツ提供端末２は、コンテンツリスト(HTTP)を、ホームゲートウェイ４を介してコンテンツ再生端末３へ返信する。
【００４３】
（Ｓ２０９）コンテンツ再生端末３は、コンテンツリストをコンテンツ視聴者に表示し、いずれかのコンテンツを選択させる。選択されたコンテンツについて、コンテンツ再生端末３は、コンテンツ取得要求(HTTP GET)を、ホームゲートウェイ４を介してコンテンツ提供端末２へ送信する。これに対して、コンテンツ提供端末２は、指定されたコンテンツを、ホームゲートウェイ４を介してコンテンツ再生端末３へ送信する。コンテンツ再生端末３は、コンテンツを受信すると共に再生することができる。
【００４４】
図３は、本発明における第２のシーケンス図である。
【００４５】
図３によれば、図３と比較して、コンテンツ再生端末３が、コンテンツ再生専用端末である点のみが相違する。コンテンツ再生専用端末は、例えばＤＬＮＡ対応のＤＭＲ又はＭ−ＤＭＲである。ＤＭＲは、ＤＭＰと異なって、ＤＭＣの機能を備えていない。そのため、コンテンツ再生専用端末は、図３のＳ２０８のように、コンテンツ提供端末２に蓄積されたコンテンツを直接的に制御することができない。
【００４６】
図３のＳ３０１〜Ｓ３０６は、図３のＳ２０１〜Ｓ２０６と全く同じである。
（Ｓ３０７）コンテンツ制御端末１は、コンテンツ紹介者によって選択されたコンテンツを指定した再生紹介メッセージを、コンテンツ再生端末３へ送信する。これによって、コンテンツ再生端末３は、検索要求BROWSEをコンテンツ提供端末２へ送信することなく、コンテンツ取得要求(HTTP GET)をコンテンツ提供端末２へ送信することができる。
【００４７】
図４は、本発明における第３のシーケンス図である。
【００４８】
図４によれば、コンテンツ制御端末１、コンテンツ提供端末２及びコンテンツ再生端末３が、ホームネットワーク５に接続されている。具体的には、ユーザが、宅内で携帯電話機（ＤＭＣ）を用いて、自宅内のハードディスクレコーダ（ＤＭＲ）に蓄積されたコンテンツを、自宅内のデジタルテレビ（ＤＭＰ）で再生する場合である。
【００４９】
（Ｓ４１）最初に、コンテンツ制御端末１は、発見要求DICOVERY(SSDP)をブロードキャストで送信することによって、コンテンツ提供端末２及びコンテンツ再生端末３を発見する。
（Ｓ４２）次に、コンテンツ制御端末１は、コンテンツ提供端末２へ、検索要求BROWSE(HTTP)を送信し、コンテンツ提供端末２が、コンテンツ制御端末１へ、コンテンツリストを返信する。
（Ｓ４３）ここで、コンテンツ制御端末１は、Ｓ４１でコンテンツ再生端末３を既に発見している。そのために、呼接続をする必要がないことが認識される。
（Ｓ４４）コンテンツ制御端末１は、コンテンツ紹介者によって選択されたコンテンツを指定した再生紹介メッセージを、コンテンツ再生端末３へ送信する。
（Ｓ４５）コンテンツ再生端末３は、検索要求BROWSEをコンテンツ提供端末２へ送信することなく、コンテンツ取得要求(HTTP GET)をコンテンツ提供端末２へ送信する。これに対して、コンテンツ提供端末２は、指定されたコンテンツを、コンテンツ再生端末３へ送信する。コンテンツ再生端末３は、コンテンツを受信すると共に再生することができる。
【００５０】
図５は、本発明のシステムにおける各装置の機能構成図である。
【００５１】
図５によれば、コンテンツ制御端末１は、第１の呼接続部１１と、第２の呼接続部１２と、第３の呼接続部１３と、メディア制御部１４と、再生紹介メッセージ送信部１５とを有する。これら機能構成部は、コンテンツ制御端末に搭載されたコンピュータを機能させるプログラムを実行することによって実現される。
【００５２】
第３の呼接続部１３は、ホームゲートウェイ４との間でセッションを確立する。これは、図２のＳ２０１に対応する。セッションが確立した旨は、メディア制御部１４へ出力される。
【００５３】
メディア制御部１４は、ホームゲートウェイ４を介して、コンテンツ提供端末２を発見し、そのコンテンツリストを取得する。これは、図２のＳ２０２及びＳ２０３に対応する。コンテンツ紹介者によって選択されたコンテンツの接続先となるホームゲートウェイを指定する。このホームゲートウェイのアドレスが、第１の呼接続部１１へ出力される。
【００５４】
第１の呼接続部１１は、ホームゲートウェイ４を接続先とする第１の呼接続要求を、コンテンツ再生端末３へ送信する。これは、図２のＳ２０４に対応する。第１の呼接続部１１は、当該コンテンツ制御端末１及びコンテンツ再生端末３が、ホームネットワーク５に接続されていると判定した場合、第１の呼接続要求を送信しない。
【００５５】
第２の呼接続部１２は、コンテンツ再生端末３を接続先とする第２の呼接続要求を、ホームゲートウェイ４へ送信する。これは、図２のＳ２０５に対応する。
【００５６】
再生紹介メッセージ送信部１５は、コンテンツ紹介者によって選択されたコンテンツのアドレスを含む再生紹介メッセージを、コンテンツ再生端末３へ送信する。これは、図３のＳ３０７に対応する。コンテンツ再生端末３は、コンテンツ紹介者によって選択されたコンテンツのアドレスを知ることができる。
【００５７】
また、図５によれば、コンテンツ再生端末３は、呼接続確立部３１と、メディア再生部３２とを有する。
【００５８】
呼接続確立部３１は、第１の呼接続要求を受信した際に、ホームゲートウェイ４との間でセッションを確立する。
【００５９】
メディア再生部３２は、確立されたセッションを通して、ホームゲートウェイ４を介してコンテンツ提供端末２との間で、ホームネットワークプロトコルに基づく制御メッセージを送受信し、コンテンツ提供端末２からホームゲートウェイ４を介して当該コンテンツを受信する。
【００６０】
更に、図５によれば、ホームゲートウェイ４は、呼接続確立部４１と、データ転送部４２とを有する。
【００６１】
呼接続確立部４１は、第２の呼接続要求を受信した際に、コンテンツ再生端末３との間でセッションを確立する。
【００６２】
データ転送部４２は、セッションを介して、コンテンツ再生端末３とコンテンツ提供端末２との間で、制御メッセージ及び当該コンテンツを転送する。
【００６３】
以上、詳細に説明したように、本発明のコンテンツ転送方法及びシステムによれば、コンテンツ制御端末及びコンテンツ再生端末が広域ネットワークに接続されている場合であっても、コンテンツ制御端末の制御によって、ホームネットワークに接続されたコンテンツ提供端末から、広域ネットワークに接続されたコンテンツ再生端末へコンテンツを送信することができる。
【００６４】
前述した本発明の種々の実施形態において、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【図面の簡単な説明】
【００６５】
【図１】従来技術におけるＤＬＮＡの基本シーケンス図である。
【図２】本発明における第１のシーケンス図である。
【図３】本発明における第２のシーケンス図である。
【図４】本発明における第３のシーケンス図である。
【図５】本発明のシステムにおける各装置の機能構成図である。
【符号の説明】
【００６６】
１  コンテンツ制御端末
１１  第１の呼接続部
１２  第２の呼接続部
１３  第３の呼接続部
１４  メディア制御部
１５  再生紹介メッセージ送信部
２  コンテンツ提供端末
３  コンテンツ再生端末
３１  呼接続確立部
３２  メディア再生部
４  ホームゲートウェイ
４１  呼接続確立部
４２  データ転送部
５  ホームネットワーク
６  インターネット、広域ネットワーク
【図１】
2010152576.tif 000003
【図２】
2010152576.tif 000004
【図３】
2010152576.tif 000005
【図４】
2010152576.tif 000006
【図５】
2010152576.tif 000007